(57)【特許請求の範囲】
【請求項１】
タップ付き変圧器用の切換装置において、
前記タップ付き変圧器は、
−第１主端子（０）を有する主巻線（５）と、
−第１粗端子（１）と第２粗端子（２）とを有する粗調整巻線（６）と、
−第１調整端子（３）を有する調整巻線（７）と、
−前記調整巻線（７）と協働し、開閉器端子（Ｌ）を有する負荷時タップ切換器（８）とを備え、
前記切換装置は、
−導線（Ａ）と、
−第１接続装置（１０）と、
−第２接続装置（２０）と、
−第３接続装置（３０）とを備え、
前記第１接続装置（１０）は、
・前記第１主端子（０）に接続され得る第１主固定接点（０．１１）と、
・前記第１粗端子（１）に接続され得る第１粗固定接点（１．１１）と、
・前記第１調整端子（３）に接続され得る第１調整固定接点（３．１）と、
・前記開閉器端子（Ｌ）に接続され得る第１開閉器固定接点（Ｌ．１）と、
・第１可動ブリッジ接触子（１１）が、前記切換装置のそれぞれの第１、第２及び第３の定常運転位置で及び／又は前記切換装置のそれぞれの切換過程中にその接続装置（１０）の少なくとも２つの固定接点（０．１１，１．１１，３．１，Ｌ．１）を電気的にブリッジするように構成されている前記第１可動ブリッジ接触子（１１）とを有し、
前記第２接続装置（２０）は、
・前記粗端子（２）に接続され得る第２粗固定接点（２．２１）と、
・前記第１調整端子（３）に接続され得る、及び／又は前記第１調整固定接点（３．１）に接続されている第２調整固定接点（３．２１）と、
・前記開閉器端子（Ｌ）に接続され得る、及び／又は前記第１開閉器固定接点（Ｌ．１）に接続されている第２開閉器固定接点（Ｌ．２１）と、
・第２可動ブリッジ接触子（２１）が、前記切換装置のそれぞれの第１、第２及び第３の定常運転位置で及び／又は前記切換装置のそれぞれの切換過程中にその接続装置（２０）の少なくとも２つの固定接点（２．２１，２．２１，２．２３，３．２１，３．２２，Ｌ．２１，Ｌ．２２）を電気的にブリッジするように構成されている前記第２可動ブリッジ接触子（２１）とを有し、
前記第３接続装置（３０）は、
・前記導線（Ａ）に接続されている第１導線固定接点（Ａ．３１）と、
・前記第１粗端子（１）に接続され得る、及び／又は前記第１粗固定接点（１．１１）に接続されている第３粗固定接点（１．３１）と、
・前記第１調整端子（３）に接続され得る、及び／又は前記第１調整固定接点（３．１）に接続されている第３調整固定接点（３．３）と、
・前記開閉器端子（Ｌ）に接続され得る、及び／又は前記第１開閉器固定接点（Ｌ．１）に接続されている第３開閉器固定接点（Ｌ．３）と、
・第３可動ブリッジ接触子（３１）が、前記切換装置のそれぞれの第１、第２及び第３の定常運転位置で及び／又は前記切換装置のそれぞれの切換過程中にその接続装置（３０）の少なくとも２つの固定接点（Ａ．３１，Ａ．３２，Ａ．３３，１．３１，１．３２，３．３，Ｌ．３）を電気的にブリッジするように構成されている前記第３可動ブリッジ接触子（３１）とを有する当該切換装置。
【請求項２】
−前記ブリッジ接触子（１１，２１，３１）が回転しないように配置されている駆動軸（４０）を有し、
−前記駆動軸（４０）は、回転運動装置（４１）に接続されている請求項１に記載の切換装置。
【請求項３】
−前記第１接続装置（１０）は、
・前記主端子（０）にそれぞれ接続され得る、及び／又は前記第１主固定接点（０．１１）にそれぞれ接続されている第２及び第３主固定接点（０．１２，０．１３）と、
・前記第１粗端子（１）に接続され得る、及び／又は前記第１粗固定接点（１．１１）に接続されている第４粗固定接点（１．１２）とを有し、
−前記第１主固定接点（０．１１）が、前記第１開閉器固定接点（Ｌ．１）と前記第１調整固定接点（３．１）との間に配置されていて、
−前記第３主固定接点（０．１３）が、前記第１調整固定接点（３．１）と前記第４粗固定接点（１．１２）との間に配置されていて、
−前記第２主固定接点（０．１２）が、前記第４粗固定接点（１．１２）と前記第１粗固定接点（１．１１）との間に配置されていて、
−前記第２接続装置（２０）は、
・前記第２粗端子（２）にそれぞれ接続され得る、及び／又は前記第２粗固定接点（２．２１）にそれぞれ接続されている第５及び第６粗固定接点（２．２２，２．２３）と、
・前記第１調整端子（３）に接続され得る、及び／又は前記第１調整固定接点（３．１）に接続されている第４調整固定接点（３．２２）と、
・前記開閉器端子（Ｌ）に接続され得る、及び／又は前記第１開閉器固定接点（Ｌ．１）に接続されている第４開閉器固定接点（Ｌ．２２）とを有し、
−前記第２粗固定接点（２．２１）が、前記第２調整固定接点（３．２１）と前記第４開閉器固定接点（Ｌ．２２）との間に配置されていて、
−前記第６粗固定接点（２．２３）が、前記第４開閉器固定接点（Ｌ．２２）と前記第２開閉器固定接点（Ｌ．２１）との間に配置されていて、
−前記第５粗固定接点（２．２２）が、前記第２開閉器固定接点（Ｌ．２１）と前記第４調整固定接点（３．２２）との間に配置されていて、
−前記第３接続装置（３０）は、
・前記導線（Ａ）及び／又は前記第１導線固定接点（Ａ．３１）にそれぞれ接続されている第２及び第３導線固定接点（Ａ．３２，Ａ．３３）と、
・前記第１粗端子（１）に接続され得る、及び／又は前記第１粗固定接点（１．１１）に接続されている第７粗固定接点（１．３２）とを有し、
−前記第１導線固定接点（Ａ．３１）が、前記第３粗固定接点（１．３１）と前記第７粗固定接点（１．３２）との間に配置されていて、
−前記第３導線固定接点（Ａ．３３）が、前記第７粗固定接点（１．３２）と前記第３調整固定接点（３．３）との間に配置されていて、
−前記第２導線固定接点（Ａ．３２）が、前記第３調整固定接点（３．３）と前記第３開閉器固定接点（Ｌ．３）との間に配置されている請求項１又は２に記載の切換装置。
【請求項４】
−それぞれの接続装置（１０，２０，３０）内には、それぞれの前記固定接点（０．１１，０．１２，１．１１…１．１３，１．３１，１．３２，２．２１…２．２３，３．１，３．２１，３．２２，３．３，Ｌ．１，Ｌ．２１，Ｌ．２２，Ｌ．３，Ａ．３１…Ａ．３３）が、回転対称に、及び／又は前記駆動軸（４０）を中心にした１つの円形軌道上に配置されていて、
−個々の前記接続装置（１０，２０，３０）は、互いに電気絶縁されて構成されていて、−前記接続装置（１０，２０，３０）は、異なる水平面内に配置されている請求項２に記載の切換装置。
【請求項５】
−タップ付き変圧器用の切換装置において、
前記タップ付き変圧器は、
−第１主端子（０）を有する主巻線（５）と、
−第１粗端子（１）と第２粗端子（２）とを有する粗調整巻線（６）と、
−第１調整端子（３）を有する調整巻線（７）と、
−前記調整巻線（７）と協働し、開閉器端子（Ｌ）を有する負荷時タップ切換器（８）とを備え、
前記切換装置は、
−導線（Ａ）を備え、
−特に請求項１〜４のいずれか１項にしたがって構成されている切換装置が、
・第１の定常運転位置を占有でき、この第１の定常運転位置では、前記切換装置が、前記粗調整巻線（６）を前記主巻線（５）に対して逆直列に接続し、前記調整巻線（７）を前記主巻線（５）に対して逆直列に接続し、
・第２の定常運転位置を占有でき、この第２の定常運転位置では、前記切換装置が、前記粗調整巻線（６）を前記主巻線（５）に対して逆直列に接続し、前記調整巻線（７）を前記主巻線（５）に対して直列に接続し、
・第３の定常運転位置を占有でき、この第３の定常運転位置では、前記切換装置が、前記粗調整巻線（６）を前記主巻線（５）に対して直列に接続し、前記調整巻線（７）を前記主巻線（５）に対して逆直列に接続し、
・第４の定常運転位置を占有でき、この第４の定常運転位置では、前記切換装置が、前記粗調整巻線（６）を前記主巻線（５）に対して直列に接続し、前記調整巻線（７）を前記主巻線（５）に対して直列に接続するように、前記切換装置は構成されている当該切換装置。
【請求項６】
−複数の固定接点のうちのそれぞれ少なくとも１つの固定接点が、前記第１主端子（０）と、前記第１粗端子（１）と、前記第１調整端子（３）と、前記開閉器端子（Ｌ）と、前記第２粗端子（２）と、前記第１調整端子（３）と、前記開閉器端子（Ｌ）とに接続され得、前記複数の固定接点のうちの少なくとも１つの別の固定接点が、前記導線（Ａ）に接続されている前記複数の固定接点と、
−それぞれ少なくとも２つの固定接点に電気的にブリッジする３つの可動ブリッジ接触子（１１）とを有する請求項１〜５のいずれか１項に記載の切換装置。
【請求項７】
前記切換装置は、
−第１の定常運転位置から第２の定常運転位置に、第２の定常運転位置から第１及び第３の定常運転位置に、第３の定常運転位置から第２及び第４の定常運転位置に、及び第４の定常運転位置から第３の定常運転位置に切り換えでき、及び／又は
−第１の定常運転位置から第４の定常運転位置に、及び第４の定常運転位置から第１の定常運転位置に切り換えできないように、前記切換装置は構成されている請求項１〜６のいずれか１項に記載の切換装置。
【請求項８】
前記切換装置が、それぞれの第１、第２及び第３の定常運転位置で及び／又はそれぞれの切換過程中に、
−１つの電流路を前記調整巻線（７）によって切り換え、及び／又は
−前記第１調整端子（３）及び前記開閉器端子（Ｌ）又は前記調整巻線（７）を前記主端子（０）及び前記導線（Ａ）又は前記主巻線（５）及び／又は前記粗調整巻線（６）に接続するように、前記切換装置は構成されている請求項１〜７のいずれか１項に記載の切換装置。
【請求項９】
特に請求項１〜８のいずれか１項に記載の切換装置を運転するための方法において、
−前記粗調整巻線（６）及び／又は調整巻線（７）が、対応する第１、第２及び第３の定常運転位置に応じて前記主巻線（５）にそれぞれ接続及び／又は逆接続されるように、前記切換装置は、４つの定常運転位置で運転される当該方法。
【請求項１０】
電気設備を運転するための方法において、
前記電気設備は、
−第１主端子（０）を有する主巻線（５）と、
−第１粗端子（１）と第２粗端子（２）とを有する粗調整巻線（６）と、
−第１調整端子（３）を有する調整巻線（７）と、
−前記調整巻線（７）と協働し、開閉器端子（Ｌ）を有する負荷時タップ切換器（８）と、
−導線（Ａ）と、特に請求項１〜８のいずれか１項にしたがって構成されている切換装置とを備え、
−当該方法は、特に請求項９にしたがって構成されていて、
−第１の定常運転位置では、前記粗調整巻線（６）が、前記主巻線（５）に対して逆直列に接続され、前記調整巻線（７）が、前記主巻線（５）に対して逆直列に接続され、
−第２の定常運転位置では、前記粗調整巻線（６）が、前記主巻線（５）に対して逆直列に接続され、前記調整巻線（７）が、前記主巻線（５）に対して直列に接続され、
−第３の定常運転位置では、前記粗調整巻線（６）が、前記主巻線（５）に対して直列に接続され、前記調整巻線（７）が、前記主巻線（５）に対して逆直列に接続され、
−第４の定常運転位置では、前記粗調整巻線（６）が、前記主巻線（５）に対して直列に接続され、前記調整巻線（７）が、前記主巻線（５）に対して直列に接続される当該方法。
【請求項１１】
−第１の定常運転位置では、
・前記第１主端子（０）が、前記第１主固定接点（０．１１）に電気接続され、前記第１ブリッジ接触子（１１）が、前記第１主固定接点（０．１１）と前記第１開閉器固定接点（Ｌ．１）とを電気的にブリッジし、前記第１開閉器固定接点（Ｌ．１）が、前記開閉器端子（Ｌ）に電気接続され、
・前記第２粗固定接点（２．２１）が、前記第２粗端子（２）に電気接続され、前記第２ブリッジ接触子（２１）が、前記第２粗固定接点（２．２１）と前記第２調整固定接点（３．２１）とを電気的にブリッジし、前記第２調整固定接点（３．２１）が、前記第１調整端子（３）に電気接続され、
・前記第３粗固定接点（１．３１）が、前記第１粗端子（１）に電気接続され、前記第３ブリッジ接触子（３１）が、前記第１導線固定接点（Ａ．３１）と前記第３粗固定接点（１．３１）とを電気的にブリッジし、前記第１導線固定接点（Ａ．３１）が、前記導線（Ａ）に電気接続され、
−第２の定常運転位置では、
・前記第１主端子（０）が、前記第１主固定接点（０．１１）と前記第３主固定接点（０．１３）とに電気接続され、前記第１ブリッジ接触子（１１）が、前記第１主固定接点（０．１１）と前記第３主固定接点（０．１３）と前記第１調整固定接点（３．１）とを電気的にブリッジし、前記第１調整固定接点（３．１）が、前記第１調整端子（３）に電気接続され、
・前記第２粗固定接点（２．２１）と第６粗固定接点（２．２３）とが、前記第２粗端子（２）に電気接続され、前記第２ブリッジ接触子（２１）が、前記第２粗固定接点（２．２１）と前記第６粗固定接点（２．２３）と第４開閉器固定接点（Ｌ．２２）とを電気的にブリッジし、前記第４開閉器固定接点（Ｌ．２２）が、前記開閉器端子（Ｌ）に電気接続され、
・前記第１導線固定接点（Ａ．３１）と第３導線固定接点（Ａ．３３）とが、前記導線（Ａ）に電気接続され、前記第３ブリッジ接触子（３１）が、前記第１導線固定接点（Ａ．３１）と前記第３導線固定接点（Ａ．３３）と第７粗固定接点（１．３２）とを電気的にブリッジし、第７粗固定接点（１．３２）が、前記第１粗端子（１）に電気接続され、
−第３の定常運転位置では、
・前記第１主端子（０）が、第３主固定接点（０．１３）と第２主固定接点（０．１２）とに電気接続され、前記第１ブリッジ接触子（１１）が、前記第３主固定接点（０．１３）と第２主固定接点（０．１２）と第４粗固定接点（１．１２）とを電気的にブリッジし、第４粗固定接点（１．１２）が、前記第１粗端子（１）に電気接続され、
・第５粗固定接点（２．２２）と前記第６粗固定接点（２．２３）とが、前記第２粗端子（２）に電気接続され、前記第２ブリッジ接触子（２１）が、前記第５粗固定接点（２．２２）と第６粗固定接点（２．２３）と前記第２開閉器固定接点（Ｌ．２１）とを電気的にブリッジし、前記第２開閉器固定接点（Ｌ．２１）が、前記開閉器端子（Ｌ）に電気接続され、
・第２導線固定接点（Ａ．３２）と第３導線固定接点（Ａ．３３）とが、前記導線（Ａ）に接続され、前記第３ブリッジ接触子（３１）が、前記第２導線固定接点（Ａ．３２）と前記第３導線固定接点（Ａ．３３）と前記第３調整固定接点（３．３）とを電気的にブリッジし、前記第３調整固定接点（３．３）が、前記第１調整端子（３）に電気接続され、
−第４の定常運転位置では、
・前記第１主端子（０）が、前記第２主固定接点（０．１２）とに電気接続され、前記第１ブリッジ接触子（１１）が、前記第２主固定接点（０．１２）と前記第１粗固定接点（１．１１）とを電気的にブリッジし、前記第１粗固定接点（１．１１）が、前記第１粗端子（１）に電気接続され、
・前記第５粗固定接点（２．２２）が、前記第２粗端子（２）に電気接続され、前記第２ブリッジ接触子（２１）が、前記第５粗固定接点（２．２２）と第４調整固定接点（３．２２）とを電気的にブリッジし、前記第４調整固定接点（３．２２）が、前記第１調整端子（３）に電気接続され、
・前記第３開閉器固定接点（Ｌ．３）が、前記開閉器端子（Ｌ）に電気接続され、前記第３ブリッジ接触子（３１）が、前記第３開閉器固定接点（Ｌ．３）と前記第２導線固定接点（Ａ．３２）とを電気的にブリッジし、前記第２導線固定接点（Ａ．３２）が、前記導線（Ａ）に電気接続される請求項９又は１０に記載の方法。
【発明の詳細な説明】
【技術分野】
【０００１】
本発明は、タップ付き変圧器用の切換装置及びこのような切換装置を運転するための方法に関する。
【背景技術】
【０００２】
加負荷の下でタップ付き変圧器の変圧比を変更するため、いわゆる負荷時タップ切換器が設けられる。当該負荷時タップ切換器の構成及び機能は、原理的に既知であり、タップ付き変圧器の調整巻線の巻線タップに接続するように構成されている。
【０００３】
一般に、当該調整巻線に接続されているこのような負荷時タップ切換器は、切換開閉器と選択器とを有する。当該選択器は、接続すべき巻線タップを無電力式に選出又は選択するために設けられている。さらに、より大きい調整範囲を必要とする特定の技術用途では、当該選択器のほかに、予備選択器をさらに設けることが、以前から長期間にわたって知られている。当該予備選択器は、調整巻線を切り換え又は反転切り換えするための極性切換器として、又は調整巻線をタップ付き変圧器の主巻線の始端又は末端に接続するための粗選択器として構成され得る。
【０００４】
しかしながら、実際の負荷が、切換開閉器によって、すなわち先の巻線タップから予め選択された新しい巻線タップに切り換えられる。このため、一般に、当該切換開閉器は、機械式の切換接点及び抵抗接点を有する。この場合、当該切換接点は、それぞれの巻線タップを負荷導線に直接に接続するために使用され、当該抵抗接点は、１つ又は複数の限流抵抗によって一時的にブリッジするために使用される。しかしながら、近年では、機械式の切換接点を有する切換開閉器ではなくて、真空バルブ又は半導体スイッチング素子、特に電力スイッチング素子、例えば、サイリスタ、ＧＴＯ、ＩＧＢＴ及びその他のデバイスが、高い電圧及び電流用のスイッチング素子として使用されている。
【０００５】
別の種類の負荷時タップ切換器は、負荷タップ切換器とも記される組み込まれた負荷時タップ切換器を構成する。ここでは、切換開閉器と微調整選択器とが、１つのユニット内に組み込まれている。当該操作時に、接続すべき巻線タップが、１つのステップ中に予め選択され、引き続き接続される。負荷時タップ切換器のこの実際の構成も、予備選択器を有し得る。この予備選択器は、負荷時タップ切換器の外部又はそのハウジング内、すなわち絶縁媒体、特に絶縁油中に配置されている。
【０００６】
選択器アームを有する負荷時タップ切換器を設けることが、独国特許第９６０３０３号明細書から既知である。これらの選択器アームのうちのそれぞれ１つの選択器アームが、定常運転中に通電していて、タップ付き変圧器の調整巻線の１つのタップに接触する。さらに、このタップ付き変圧器の、調整巻線の上流に接続された主巻線の端部に接続されている別の補助タップが設けられている。この技術に関連して微調整用巻線とも記される調整巻線用のいわゆる転換器が切り換わるときに、当該通電する選択器アームが、この補助タップに接触する。また、この転換器は、同様に、一方では当該上流に接続された主巻線と、他方では当該調整巻線の巻線端部とに接続されている。その結果、当該調整巻線の電圧が、当該転換器の接触位置に応じて当該上流に接続された主巻線の電圧に対して昇圧又は降圧される。この種類の電気回路は、いわゆる切換回路として知られている。
【０００７】
さらに、いわゆる粗調整巻線を微調整巻線に接続することが、独国特許第２３５８８８５号明細書から知られている。この粗調整巻線の始端が、タップ付き変圧器の主巻線に接続されている。転換スイッチが、この粗調整巻線のために設けられている。この転換スイッチの中心接点が、この微調整巻線の始端に接続されていて、この転換スイッチの外部接点が、この粗調整巻線の始端と末端とに接続されている。したがって、この粗調整巻線の電圧が、この転換スイッチの位置に応じてこの主巻線の電圧とこの微調整巻線の電圧とに対して昇圧又は降圧される。この種類の電気回路は、いわゆる粗調整ステップとして知られている。
【０００８】
最後に、変圧器用のタップ選択器の場合の接続装置が、独国特許出願公開第２９３６５３４号明細書から既知である。当該タップ選択器の場合、１つの主巻線と、電圧を調整するための選択器アーム用の複数のタップを有する１つの微調整巻線と、当該変圧器の同じ脚部上に配置された少なくとも１つの粗調整巻線とが、１つの相ごとに設けられている。当該タップ選択器の場合、１つの転換スイッチが、その外部接点をそれぞれの粗調整巻線の始端と末端とに接続されていて、それぞれの転換スイッチの中心接点が、その次に高い電位を有する粗調整巻線の始端に接続されている。そして当該タップ選択器の場合、１つの粗調整巻線と当該通電する選択器アームとに接続可能な１つの補助タップが設けられている。この既知の切換装置の場合、最も高い電位を有する粗調整巻線に接続されている当該転換スイッチの中心接点が、１つの逆転スイッチの中心接点に接続されていること、この逆転スイッチの外部接点が、当該微調整巻線の始端と末端とに接続されていること、当該補助タップが、１つの補助スイッチの中心接点に接続されていて、この補助スイッチの外部接点が、当該上流に接続された粗調整巻線の末端と、同様にその次の上流に接続された１つの粗調整巻線に接続されている１つの補助スイッチの中心接点とに接続されている一方で、当該主巻線の下流に直接に接続された粗調整巻線に接続されているこの補助スイッチが、その両外部接点をこの粗調整巻線に接続されていること、及び、それぞれの転換スイッチの接点とこの逆転スイッチの接点とそれぞれの補助スイッチの接点とが、当該タップ選択器の互いに異なる平面内に配置されていることが提唱されている。
【０００９】
当該転換スイッチの切り換え時に、当該調整巻線又は微調整巻線の電位が、所定の値を占めることを保証するため、限流抵抗として知られている抵抗を設ける必要があることが、当該従来の技術から知られている回路の場合の欠点である。何故ならば、当該調整巻線が、切換接点の切り換えの時点に電気的に浮く、すなわち電気接続されていないからである。それ故に、当該調整巻線は、静電容量結合を通じて予測できない電位を受ける。また、このことは、予備選択器に多大な電圧を掛け得る。また、当該電圧自体を抑制することは、技術的に困難である。
【先行技術文献】
【特許文献】
【００１０】
【特許文献１】独国特許第９６０３０３号明細書
【特許文献２】独国特許第２３５８８８５号明細書
【特許文献３】独国特許出願公開第２９３６５３４号明細書
【発明の概要】
【発明が解決しようとする課題】
【００１１】
それ故に、本発明の課題は、上記の欠点がない、タップ付き変圧器用の切換装置及びこのような切換装置を運転するための方法を提供することにある。
【課題を解決するための手段】
【００１２】
本発明によれば、この課題は、独立請求項に記載の対象によって解決される。本発明の好適なその他の構成及び実施の形態は、対応する従属請求項に記載されている。
【００１３】
本発明は、第１の観点にしたがってタップ選択器用の切換装置を提唱する。
【００１４】
前記タップ付き変圧器は、
−第１主端子を有する主巻線と、
−第１粗端子と第２粗端子とを有する粗調整巻線と、
−第１調整端子を有する調整巻線と、
−前記調整巻線と協働し、開閉器端子を有する負荷時タップ切換器とを備え、
前記切換装置は、
−導線と、
−第１接続装置と、
−第２接続装置と、
−第３接続装置とを備え、
前記第１接続装置は、
・前記第１主端子に接続され得る第１主固定接点と、
・前記第１粗端子に接続され得る第１粗固定接点と、
・前記第１調整端子に接続され得る第１調整固定接点と、
・前記開閉器端子に接続され得る第１開閉器固定接点と、
・第１可動ブリッジ接触子が、前記切換装置のそれぞれの定常運転位置で及び／又は前記切換装置のそれぞれの切換過程中にその接続装置の少なくとも２つの固定接点を電気的にブリッジするように構成されている前記第１可動ブリッジ接触子とを有し、
前記第２接続装置は、
・前記粗端子に接続され得る第２粗固定接点と、
・前記第１調整端子に接続され得る、及び／又は前記第１調整固定接点に接続されている第２調整固定接点と、
・前記開閉器端子に接続され得る、及び／又は前記第１開閉器固定接点に接続されている第２開閉器固定接点と、
・第２可動ブリッジ接触子が、前記切換装置のそれぞれの定常運転位置で及び／又は前記切換装置のそれぞれの切換過程中にその接続装置の少なくとも２つの固定接点を電気的にブリッジするように構成されている前記第２可動ブリッジ接触子とを有し、
前記第３接続装置は、
・前記導線に接続されている第１導線固定接点と、
・前記第１粗端子に接続され得る、及び／又は前記第１粗固定接点に接続されている第３粗固定接点と、
・前記第１調整端子に接続され得る、及び／又は前記第１調整固定接点に接続されている第３調整固定接点と、
・前記開閉器端子に接続され得る、及び／又は前記第１開閉器固定接点に接続されている第３開閉器固定接点と、
・第３可動ブリッジ接触子が、前記切換装置のそれぞれの定常運転位置で及び／又は前記切換装置のそれぞれの切換過程中にその接続装置の少なくとも２つの固定接点を電気的にブリッジするように構成されている前記第３可動ブリッジ接触子とを有する。
【００１５】
これにより、当該タップ付き変圧器の各主巻線、粗調整巻線及び調整巻線の全区間が、それぞれの切り換え中の各時点で電気接続されている、すなわち電気的に浮いていない切換装置が提供される。それ故に、追加の限流抵抗が省略され得る。さらに、当該主巻線、粗調整巻線及び調整巻線の異なる複数の部分が、互いに接続又は逆接続される、すなわち適切に相互に極性変換されることによって、当該調整巻線の何倍もの電圧範囲を調整範囲として切り換えることが、この切換装置によって可能になる。
−前記ブリッジ接触子が回転しないように配置されている駆動軸が提唱され得る。
−前記駆動軸が、回転運動装置に接続されていることが提唱され得る。
【００１６】
前記回転運動装置が、モータ駆動及び／又は直接駆動及び／又は手動駆動及び／又はばねエネルギー蓄勢装置から構成されていることが提唱され得る。
−前記接続装置が、
・前記主端子にそれぞれ接続され得る、及び／又は前記第１主固定接点にそれぞれ接続されている第２及び第３主固定接点と、
・前記第１粗端子に接続され得る、及び／又は前記第１粗固定接点に接続されている第４粗固定接点とを有し、
−前記第１主固定接点が、前記第１開閉器固定接点と前記第１調整固定接点との間に配置されていて、
−前記第３主固定接点が、前記第１調整固定接点と前記第４粗固定接点との間に配置されていて、
−前記第２主固定接点が、前記第４粗固定接点と前記第１粗固定接点との間に配置されていることが提唱され得る。
−前記第２接続装置が、
・前記第２粗端子にそれぞれ接続され得る、及び／又は前記第２粗固定接点にそれぞれ接続されている第５及び第６粗固定接点と、
・前記第１調整端子に接続され得る、及び／又は前記第１調整固定接点に接続されている第４調整固定接点と、
・前記開閉器端子に接続され得る、及び／又は前記第１開閉器固定接点に接続されている第４開閉器固定接点とを有し、
−前記第２粗固定接点が、前記第２調整固定接点と前記第４開閉器固定接点との間に配置されていて、
−前記第６粗固定接点が、前記第４開閉器固定接点と前記第２開閉器固定接点との間に配置されていて、
−前記第５粗固定接点が、前記第２開閉器固定接点と前記第４調整固定接点との間に配置されていることが提唱され得る。
−前記第３接触装置が、
・前記導線及び／又は前記第１導線固定接点にそれぞれ接続されている第２及び第３導線固定接点と、
・前記第１粗端子に接続され得る、及び／又は前記第１粗固定接点に接続されている第７粗固定接点とを有し、
−前記第１導線固定接点が、前記第３粗固定接点と前記第７粗固定接点との間に配置されていて、
−前記第３導線固定接点が、前記第７粗固定接点と前記第３調整固定接点との間に配置されていて、
−前記第２導線固定接点が、前記第３調整固定接点と前記第３開閉器固定接点との間に配置されていることが提唱され得る。
−それぞれの接続装置内には、それぞれの前記固定接点が、回転対称に、及び／又は前記駆動軸を中心にした１つの円形軌道上に配置されていることが提唱され得る。
−個々の前記接続装置は、互いに電気絶縁されて構成されていることが提唱され得る。
−前記接続装置が、異なる水平面内に配置されていることが提唱され得る。
【００１７】
本発明は、第２の観点にしたがってタップ付き変圧器用の切換装置を提唱する。
【００１８】
前記タップ付き変圧器は、
−第１主端子を有する主巻線と、
−第１粗端子と第２粗端子とを有する粗調整巻線と、
−第１調整端子を有する調整巻線と、
−前記調整巻線と協働し、開閉器端子を有する負荷時タップ切換器とを備え、
前記切換装置は、
−導線を備え、
−特に前記第１の観点にしたがって構成されている切換装置が、
・第１定常運転位置を占有でき、この第１定常運転位置では、前記切換装置が、前記粗調整巻線を前記主巻線に対して逆直列に接続し、前記調整巻線を前記主巻線に対して逆直列に接続し、
・第２定常運転位置を占有でき、この第２定常運転位置では、前記切換装置が、前記粗調整巻線を前記主巻線に対して逆直列に接続し、前記調整巻線を前記主巻線に対して直列に接続し、
・第３定常運転位置を占有でき、この第３定常運転位置では、前記切換装置が、前記粗調整巻線を前記主巻線に対して直列に接続し、前記調整巻線を前記主巻線に対して逆直列に接続し、
・第４定常運転位置を占有でき、この第４定常運転位置では、前記切換装置が、前記粗調整巻線を前記主巻線に対して直列に接続し、前記調整巻線を前記主巻線に対して直列に接続するように、前記切換装置は構成されている。
−複数の固定接点のうちのそれぞれ少なくとも１つの固定接点が、前記第１主端子と、前記第１粗端子と、前記第１調整端子と、前記開閉器端子と、前記第２粗端子と、前記第１調整端子と、前記開閉器端子とに接続され得、前記複数の固定接点のうちの少なくとも１つの別の固定接点が、前記導線に接続されている前記複数の固定接点と、
−それぞれ少なくとも２つの固定接点に電気的にブリッジする３つの可動ブリッジ接触子とを有することが提唱され得る。
【００１９】
前記切換装置は、
−前記第１運転位置から前記第２運転位置に、前記第２運転位置から前記第１及び第３運転位置に、前記第３運転位置から前記第２及び第４運転位置に、及び前記第４運転位置から前記第３運転位置に切り換えでき、及び／又は
−前記第１運転位置から前記第４運転位置に、及び前記第４運転位置から前記第１運転位置に切り換えできないように、前記切換装置は構成されていることが提唱され得る。
【００２０】
前記切換装置が、それぞれの運転位置で及び／又はそれぞれの切換過程中に、
−１つの電流路を前記調整巻線によって切り換え、及び／又は
−前記第１調整端子及び前記開閉器端子又は前記調整巻線を前記主端子及び前記導線又は前記主巻線及び／又は前記粗調整巻線に接続するように、前記切換装置は構成されていることが提唱され得る。
−前記主巻線と前記粗調整巻線と前記調整巻線とが、互いに電気的に分離されていることが提唱され得る。
【００２１】
本発明は、第３の観点にしたがって、
−第１主端子を有する主巻線と、
−第１粗端子と第２粗端子とを有する粗調整巻線と、
−第１調整端子を有する調整巻線と、前記調整巻線と協働し、開閉器端子を有する負荷時タップ切換器と、
−前記第１又は第２の観点にしたがって構成されている切換装置とを備えるタップ付き変圧器を提唱する。
−前記第１主固定接点が、前記第１主端子に接続されていて、
−前記第１粗固定接点が、前記第１粗端子に接続されていて、
−前記第１調整固定接点が、前記第１調整端子に接続されていて、
−前記第１開閉器固定接点が、前記開閉器端子に接続されていて、
−前記第２粗固定接点が、前記第２粗端子に接続されていて、
−前記第２調整固定接点が、前記第１調整端子及び／又は前記第１調整固定接点に接続されていて、
−前記第２開閉器固定接点が、前記開閉器端子及び／又は前記第１開閉器固定接点に接続されていて、
−前記第１導線固定接点が、前記導線に接続されていて、
−前記第３粗固定接点が、前記第１粗端子及び／又は前記第１粗固定接点に接続されていて、
−前記第３調整固定接点が、前記第１調整端子及び／又は前記第１調整固定接点に接続されていて、
−前記第３開閉器固定接点が、前記開閉器端子及び／又は前記第１開閉器固定接点に接続されていることが提唱され得る。
−前記主巻線と前記粗調整巻線と前記調整巻線とが、互いに電気的に分離されていることが提唱され得る。
【００２２】
本発明は、第４の観点によると、特に第１又は第２の観点にしたがって構成されている切換装置を運転するための方法を提唱する。この場合、
−前記粗調整巻線及び／又は調整巻線が、対応する運転位置に応じて前記主巻線にそれぞれ接続及び／又は逆接続されるように、前記切換装置は、４つの定常運転位置で運転される。
【００２３】
本発明は、第５の観点にしたがって電気設備を運転するための方法を提唱する。
【００２４】
前記電気設備は、
−第１主端子を有する主巻線と、
−第１粗端子と第２粗端子とを有する粗調整巻線と、
−第１調整端子を有する調整巻線と、
−前記調整巻線と協働し、開閉器端子を有する負荷時タップ切換器と、
−導線と、特に前記第１又は第２の観点にしたがって構成されている切換装置とを備え、
−当該方法は、特に第４の観点にしたがって構成されていて、
−第１定常運転位置では、前記粗調整巻線が、前記主巻線に対して逆直列に接続され、前記調整巻線が、前記主巻線に対して逆直列に接続され、
−第２定常運転位置では、前記粗調整巻線が、前記主巻線に対して逆直列に接続され、前記調整巻線が、前記主巻線に対して直列に接続され、
−第３定常運転位置では、前記粗調整巻線が、前記主巻線に対して直列に接続され、前記調整巻線が、前記主巻線に対して逆直列に接続され、
−第４定常運転位置では、前記粗調整巻線が、前記主巻線に対して直列に接続され、前記調整巻線が、前記主巻線に対して直列に接続される。
−第１定常運転位置では、
・前記第１主端子が、前記第１主固定接点に電気接続され、前記第１ブリッジ接触子が、前記第１主固定接点と前記第１開閉器固定接点とを電気的にブリッジし、前記第１開閉器固定接点が、前記開閉器端子に電気接続され、
・前記第２粗固定接点が、前記第２粗端子に電気接続され、前記第２ブリッジ接触子が、前記第２粗固定接点と前記第２調整固定接点とを電気的にブリッジし、前記第２調整固定接点が、前記第１調整端子に電気接続され、
・前記第３粗固定接点が、前記第１粗端子に電気接続され、前記第３ブリッジ接触子が、前記第１導線固定接点と前記第３粗固定接点とを電気的にブリッジし、前記第１導線固定接点が、前記導線に電気接続されることが提唱され得る。
−第２定常運転位置では、
・前記第１主端子が、前記第１主固定接点と前記第３主固定接点とに電気接続され、前記第１ブリッジ接触子が、前記第１主固定接点と前記第３主固定接点と前記第１調整固定接点とを電気的にブリッジし、前記第１調整固定接点が、前記第１調整端子に電気接続され、
・前記第２粗固定接点と前記第６粗固定接点とが、前記第２粗端子に電気接続され、前記第２ブリッジ接触子が、前記第２粗固定接点と前記第６粗固定接点と前記第４開閉器固定接点とを電気的にブリッジし、前記第４開閉器固定接点が、前記開閉器端子に電気接続され、
・前記第１導線固定接点と前記第３導線固定接点とが、前記導線に電気接続され、前記第３ブリッジ接触子が、前記第１導線固定接点と前記第３導線固定接点と前記第７粗固定接点とを電気的にブリッジし、前記第７粗固定接点が、前記第１粗端子に電気接続されることが提唱され得る。
−第３定常運転位置では、
・前記第１主端子が、前記第３主固定接点と前記第２主固定接点とに電気接続され、前記第１ブリッジ接触子が、前記第３主固定接点と前記第２主固定接点と前記第４粗固定接点とを電気的にブリッジし、前記第４粗固定接点が、前記第１粗端子に電気接続され、
・前記第５粗固定接点と前記第６粗固定接点とが、前記第２粗端子に電気接続され、前記第２ブリッジ接触子が、前記第５粗固定接点と前記第６粗固定接点と前記第２開閉器固定接点とを電気的にブリッジし、前記第２開閉器固定接点が、前記開閉器端子に電気接続され、
・前記第２導線固定接点と前記第３導線固定接点とが、前記導線に電気接続され、前記第３ブリッジ接触子が、前記第２導線固定接点と前記第３導線固定接点と前記第３調整固定接点とを電気的にブリッジし、前記第３調整固定接点が、前記第１調整端子に電気接続されることが提唱され得る。
−第４定常運転位置では、
・前記第１主端子が、前記第２主固定接点とに電気接続され、前記第１ブリッジ接触子が、前記第２主固定接点と前記第１粗固定接点とを電気的にブリッジし、前記第１粗固定接点が、前記第１粗端子に電気接続され、
・前記第５粗固定接点が、前記第２粗端子に電気接続され、前記第２ブリッジ接触子が、前記第５粗固定接点と前記第４調整固定接点とを電気的にブリッジし、前記第４調整固定接点が、前記第１調整端子に電気接続され、
・前記第３開閉器固定接点が、前記開閉器端子に電気接続され、前記第３ブリッジ接触子が、前記第３開閉器固定接点と前記第２導線固定接点とを電気的にブリッジし、前記第２導線固定接点が、前記導線に電気接続されることが提唱され得る。
【００２５】
当該電気設備は、例えば、前記第３の観点にしたがって提唱されているタップ付き変圧器を有し得るか又は前記第３の観点にしたがって提唱されているタップ付き変圧器のように構成され得る。
【００２６】
本発明のこれらの観点のうちの１つの観点、特にこの観点の個々の特徴に対する説明及び例示は、本発明のその他の観点に対しても同様に適切に成立する。
【００２７】
以下に、本発明の実施の形態を添付図面に基づいて例示的に詳しく説明する。しかしながら、これから生じる個々の特徴は、当該個々の実施の形態に限定されるのではなくて、上記のさらなる個々の特徴及び／又はその他の実施の形態の個々の特徴と結合及び／又は組み合わせされ得る。当該図面中の詳細は、説明にすぎず、限定するものと解釈してはならない。特許請求の範囲に記載の符号は、本発明の保護範囲を限定するものではなくて、当該図面中に示された実施の形態だけを示すものである。
【図面の簡単な説明】
【００２８】
【図１】第１定常運転位置にある本発明の切換装置を示す。
【図２】第２定常運転位置にある本発明の切換装置を示す。
【図３】第３定常運転位置にある本発明の切換装置を示す。
【図４】第４定常運転位置にある本発明の切換装置を示す。
【発明を実施するための形態】
【００２９】
図１には、図式化され且つ専ら部分的に示されたタップ付き変圧器と負荷時タップ切換器８とを有する本発明の切換装置が、第１定常運転位置で示されている。したがって、図１は、このタップ付き変圧器の全体を示すのではなくて、この負荷時タップ切換器の巻線の、本発明の切換装置に対応する一部だけを示す。この場合、当該巻線の一部は、一次側又は二次側の巻線でもよい。この負荷時タップ切換器は、第１主接触子０と第２主接触子Ｎとを有する主巻線５を備える。この場合、第２主接触子Ｎが、三相交流電源の１つの相に割り当てられている電力線、スターポイント、又は三角結線の１つの頂点に接続され得る。さらに、筐体又は接地電位又はスターポイント又は三角結線の１つの頂点に接続され得る導線Ａが設けられている。さらに、当該タップ付き変圧器には、第１粗端子１と第２粗端子２とを有する粗調整巻線６と、第１調整端子３と第２調整端子４と巻線タップ７．１…７．７とを有する調整巻線７と、この調整巻線７と開閉器端子Ｌとの間に配置された負荷時タップ切換器８とが設けられている。数十年にわたって既に知られているように、負荷時タップ切換器８は、従来の技術から既知の負荷時タップ切換器でもよい。この場合、巻線タップ７．１は、第１調整端子３と同じ電位を有する一方で、巻線タップ７．７は、第２調整端子４と同じ電位を有する。また、負荷時タップ切換器８は、同様に既に知られている切換開閉器８．１と選択器９とを有する。切換開閉器８．１が、加負荷の下で中断なしに実際に切り換えを実行する前に、この選択器９は、その選択器アーム９．１及び９．２によって調整巻線７の巻線タップ７．１…７．７を無電力式に事前選択する。この代わりに、負荷時タップ切換器８は、従来の技術から既知の組み込まれた負荷時タップ切換器８でもよい。負荷時タップ切換器８が、切換開閉器８．１に対して独立した装置として構成されているか又は組み込まれているかにかかわらず、この負荷時タップ切換器８が、調整巻線７の全ての調整範囲、すなわち存在する全ての巻線タップ７．１…７．７を網羅でき、これらの巻線タップ７．１…７．７に接触可能であるように、この負荷時タップ切換器８は、その選択器９と一緒に構成されている。
【００３０】
この場合、当該切換装置には、第１接続装置１０、第２接続装置２０及び第３接続装置が設けられている。それぞれの接続装置１０，２０及び３０自体が、複数の固定接点０．１１，０．１２，１．１１…１．１３，１．３１，１．３２，２．２１…２．２３，３．１，３．２１，３．２２，３．３，Ｌ．１，Ｌ．２１，Ｌ．２２，Ｌ．３，Ａ．３１…Ａ．３３を同様に有する。この場合、それぞれの接続装置１０，２０及び３０は、電気ブリッジ式に形成されたそれぞれ１つの可動ブリッジ接触子１１，２１及び３１を有する。この可動ブリッジ接触子１１，２１及び３１が、当該切換装置のそれぞれの切換過程中にそれぞれの接続装置１０，２０及び３０の少なくとも２つの固定接点を同時に電気ブリッジするように、当該可動ブリッジ接触子１１，２１及び３１は、それぞれ設計されている。それぞれの定常運転位置ごとに、それぞれの可動ブリッジ接触子１１，２１，３１が、同様にそれぞれの接続装置１０，２０及び３０の主に少なくとも２つの固定接点０．１１，０．１２，１．１１…１．１３，１．３１，１．３２，２．２１…２．２３，３．１，３．２１，３．２２，３．３，Ｌ．１，Ｌ．２１，Ｌ．２２，Ｌ．３，Ａ．３１…Ａ．３３に電気的に作用接続している。それ故に、それぞれの接続装置１０，２０及び３０のそれぞれの可動ブリッジ接触子１１，２１及び３１が、全ての接続装置１０，２０及び３０のために共通に設けられている駆動軸４０に回転しないように結合されている。
【００３１】
この場合、例えば、定常運転位置に応じて、第１、第２及び第３主固定接点０．１１，０．１２，０．１３が、第１主端子０に対応し、第１及び第４粗固定接点１．１１，１．１２が、第１粗端子１に対応し、第１調整固定接点３．１が、第１調整端子３に対応し、開閉器固定接点Ｌ．１が、開閉器端子Ｌに対応するように、第１接続装置１０が、特に第１、第２及び第３主固定接点０．１１，０．１２及び０．１３、第１粗固定接点１．１１、第４粗固定接点１．１２、第１調整固定接点３．１並びに第１開閉固定接点Ｌ．１を有する。これらの接点は、割り当てられた端子０，１，３及びＬに電気接触可能である。小数点の前に存在する番号は、対応する固定接点が電気的に対応する、それぞれ対応する端子を示し、小数点の後の最初の番号は、当該固定接点が割り当てられているそれぞれの接続装置１０，２０又は３０を示し、当該対応する接続装置の最後の番号は、当該複数の固定接点を時計回りに通し番号で番号付けするように、本出願における固定接点の符号が選択されている。当該符号のこの表現方法は、接続装置１０，２０及び３０の全ての固定接点に対して共通して成立する。切換過程中に、すなわち専ら一時的に移行される中間位置で、例えば、異なる複数の接続装置の２つの固定接点が一緒に、１つで且つ同じ端子に電気接続している場合、これらの異なる接続装置のこれらの固定接点も、互いに電気接続されている。
【００３２】
したがって、第２接続装置２０は、特に、第２粗固定接点２．２１、第５粗固定接点２．２２、第６粗固定接点２．２３、第２調整固定接点３．２１、第４調整固定接点３．２２、第２開閉器固定接点Ｌ．２１及び第４開閉器固定接点Ｌ．２２を有する。これらの接点は、割り当てられた端子２，３及びＬに電気接触可能である。すなわち、例えば、定常運転位置に応じて、第２粗固定接点２．２１、第５粗固定接点２．２２及び第６粗固定接点２．２３が、第２粗端子２に電気接触可能であり、第２調整固定接点３．２１及び第４調整固定接点３．２２が、第１調整端子３に電気接触可能であり、第２開閉器固定接点Ｌ．２１及び第４開閉器固定接点Ｌ．２２が、開閉器端子Ｌに電気接触可能である。
【００３３】
したがって、第３接続装置３０は、特に、第１導線固定接点Ａ．３１、第２導線固定接点Ａ．３２、第３導線固定接点Ａ．３３、第３粗固定接点１．３１、第６粗固定接点１．３２、第３調整固定接点３．３及び第３開閉器接点Ｌ．３を有する。これらの接点は、割り当てられた端子１，３，Ｌ及びＡに電気接触可能である。すなわち、例えば、定常運転位置に応じて、第３粗固定接点１．３１及び第７粗固定接点１．３２が、第１粗端子１に電気接触可能であり、第３調整固定接点３．３が、第１調整端子３に電気接触可能であり、第１導線固定接点Ａ．３１、第２導線固定接点Ａ．３２及び第３導線固定接点Ａ．３３が、導線Ａに電気接触可能である。
【００３４】
それぞれの接続装置１０，２０及び３０は、その他の接続装置の別の端子又は固定接点に対応しないさらなる空き接点１２，２２又は３２をさらに有する。回路技術的な観点から、これらの接続装置１０，２０及び３０のこれらの空き接点１２，２２又は３２を省略することも考えられる。
【００３５】
図１には、可能な４つの定常運転位置のうちの第１定常運転位置が示されている。それぞれの定常運転位置では、選択器アーム９．１及び９．２又は負荷時タップ切換器８が、調整巻線７の調整範囲の全体を双方向に通過し得る。この第１定常運転位置では、負荷電流ＩＬが、第２主端子Ｎから主巻線５を通じて第１主端子０へ向かい、第１接続装置１０の第１主固定接点０．１１へ向かってこの第１主固定接点０．１１から第１ブリッジ接触子１１を通じて開閉器固定接点Ｌ．１へ向かい、この開閉器固定接点Ｌ．１から開閉器端子Ｌへ向かって負荷時タップ切換器８と選択器９とを通じて第２調整端子４へ向かう電流路に通電し、引き続きこの負荷電流ＩＬは、第１調整端子３へ向かって調整巻線７の全体に通電する。さらに、この負荷電流ＩＬは、第２接続装置２０の第２粗固定接点２．２１へ向かい、次いで第２ブリッジ接触子２１を通じて第４開閉器固定接点Ｌ．２２へ向かい、この第４開閉器固定接点Ｌ．２２から第２粗端子２へ向かい、粗調整巻線６の全体を通じて第１粗端子１へ向かい、この第１粗端子１から第３接続装置３０の第３粗固定接点１．３１と第３ブリッジ接触子３１とを通じて第１導線固定接点Ａ．３１へ向かい、最終的に導線Ａへ向かって通電する。
【００３６】
このため、当該第１定常運転位置では、第１主端子０が、第１主固定接点０．１１に電気接続され、第１ブリッジ接触子１１が、第１主固定接点０．１１と第１開閉器固定接点Ｌ．１とを電気的にブリッジし、この第１開閉器固定接点Ｌ．１が、開閉器端子Ｌに電気接続される。さらに、第２粗固定接点２．２１が、第２粗端子２に電気接続され、第２ブリッジ接触子２１が、第２粗固定接点２．２１と第２調整固定接点３．２１とを電気的にブリッジし、第２調整固定接点３．２１が、第１調整端子３に電気接続される。最終的に、第３粗固定接点１．３１が、第１粗端子１に電気接続され、第３ブリッジ接触子３１が、第１導線固定接点Ａ．３１と第３粗固定接点１．３１とを電気的にブリッジし、第１導線固定接点Ａ．３１が、導線Ａに電気接続される。さらに、この第１定常運転位置では、１つの機械式スイッチが、第１粗端子１と第１粗固定接点１．１１と第４粗固定接点１．１２との間に設けられ得る。この機械式スイッチは、この定常運転位置で開かれ得る。
【００３７】
この場合、駆動軸４０に対する回転運動が、全ての接続装置１０，２０及び３０のために共通に設けられている回転運動装置４１によって始動される。この場合、この回転運動装置４１は、例えばモータ駆動及び／又は直接駆動及び／又は手動駆動及び／又はばねエネルギー蓄勢装置から構成され得る。それ故に、第１定常運転位置から第２定常運転位置への切り換えが、本発明の切換装置によって実行されなければならない場合、選択器アーム９．１又は９．２が、調整巻線７の始端、すなわち第１調整端子３に設けられている巻線タップ７．１に移動されて接続される必要がある。
【００３８】
図２には、本発明の切換装置の第２定常運転位置が示されている。このため、第１、第２及び第３ブリッジ接触子１１，２１及び３１が、図１に対して反時計回りにそれぞれ２つの固定接点位置だけ駆動軸４０によってさらに切り換えられてある。この場合、図示されていない全ての切換過程中に、それぞれの接続装置１０，２０及び３０の常に少なくとも２つの固定接点が、対応する可動ブリッジ接触子１１，２１及び３１によって電気接続された結果、主巻線５と粗調整巻線６と調整巻線７とのそれぞれの一部が電気接続されてある。当該第１接続装置１０の例では、このことは、第１可動ブリッジ接触子１１が、その次の図２の定常運転位置（この定常運転位置では、第１主固定接点０．１１と第１調整固定接点３．１と第３主固定接点０．１３とが、最終的に電気的にブリッジされている）を占める前に、第１調整固定接点３．１と第１主固定接点０．１１と第１開閉器固定接点Ｌ．１とが、当該さらなる切換過程中に電気的にブリッジされてあるように、第１ブリッジ接触子１１が、この切換過程中に第１調整固定接点３．１上に当接して摺動する前に、第１ブリッジ接触子１１が、第１主固定接点０．１１に隣接した第１調整固定接点３．１の方向に移動した結果、第１主固定接点０．１１及び第１開閉器固定接点Ｌ．１だけが、第１ブリッジ接触子１１によって一時的に電気ブリッジされたことを明瞭に意味する。上記の説明は、接続装置２０及び３０の切換過程に対しても機能的に同様に成立する。
【００３９】
当該第２定常運転位置でも、選択器アーム９．１及び９．２又は負荷時タップ切換器８が、調整巻線７の調整範囲の全体を双方向に通過し得る。その結果、調整巻線７の全体又は一部だけが接続又は遮断され得る。この定常運転位置では、定格電流ＩＬが、第２主端子Ｎから主巻線５を通じて第１主端子０へ向かい、第１接続装置１０の第１主固定接点０．１１と第３主固定接点０．１３途へ向かい、そこから第１可動ブリッジ接触子１１を通じて第１調整固定接点３．１へ向かい、そこから第１調整端子３へ向かい、選択器９と負荷時タップ切換器８とを通じて開閉器端子Ｌへ向かう電流路に通電する。さらに、この負荷電流ＩＬは、この開閉器端子Ｌから第２接続装置２０の第４開閉器固定接点Ｌ．２２へ向かい、次いで第２ブリッジ接触子２１を通じて第２粗固定接点２．２１と第６粗固定接点２．２３とへ向かい、そこから第２粗端子２へ向かい、粗調整巻線６の全体を通じて第１粗端子１の方向へ向かい、そこから第３接続装置３０の第６粗固定接点１．３２と第３可動ブリッジ接触子３１とを通じて導線固定接点Ａ．３１と第３導線固定接点Ａ．３３とへ向かい、最終的に導線Ａへ向かって通電する。
【００４０】
このため、当該第２定常運転位置では、第１主端子０が、第１主固定接点０．１１と第３主固定接点０．１３とに電気接続され、第１ブリッジ接触子１１が、第１主固定接点０．１１と第３主固定接点０．１３と第１調整固定接点３．１とを電気的にブリッジし、第１調整固定接点３．１が、第１調整端子３に電気接続される。さらに、第２粗固定接点２．２１と第６粗固定接点２．２３とが、第２粗端子２に電気接続され、第２ブリッジ接触子２１が、第２粗固定接点２．２１と第６粗固定接点２．２３と第４開閉器固定接点Ｌ．２２とを電気的にブリッジし、第４開閉器固定接点Ｌ．２２が、開閉器端子Ｌに電気接続される。最終的に、第１導線固定接点Ａ．３１と第３導線固定接点Ａ．３３とが、導線Ａに接続され、第３ブリッジ接触子３１が、第１導線固定接点Ａ．３１と第３導線固定接点Ａ．３３と第６粗固定接点１．３２とを電気的にブリッジし、第６粗固定接点１．３２が、第１粗端子１に電気接続される。
【００４１】
図３には、本発明の切換装置の第３定常運転位置が示されている。このため、第１、第２及び第３ブリッジ接触子１１，２１及び３１が、図２に対して反時計回りにそれぞれ２つの固定接点位置だけ駆動軸４０によってさらに切り換えられてある。この場合、図示されていない全ての切換過程中に、それぞれの接続装置１０，２０及び３０の常に少なくとも２つの固定接点が、対応する可動ブリッジ接触子１１，２１及び３１によって電気接続された結果、主巻線５と粗調整巻線６と調整巻線７とのそれぞれの一部が電気接続されてある。
【００４２】
当該第３定常運転位置でも、選択器アーム９．１及び９．２又は負荷時タップ切換器８が、調整巻線７の調整範囲の全体を双方向に通過し得る。その結果、調整巻線７の全体又は一部だけが接続又は遮断され得る。この定常運転位置では、負荷電流ＩＬが、第２主端子Ｎから主巻線５を通じて第１主端子０へ向かい、第１接続装置１０の第３主固定接点０．１３と第２主固定接点０．１２とへ向かい、そこから第１可動ブリッジ接触子１１を通じて第４粗固定接点１．１２へ向かい、そこから第１粗端子１へ向かい、粗調整巻線６の全体を通じて第２粗端子２の方向の電流路に通電する。この負荷電流ＩＬは、第２接続装置２０の第６粗固定接点２．２３と第５粗固定接点２．２２とへさらに向かい、さらにブリッジ式の第２可動ブリッジ接触子２１を通じて第２開閉器固定接点Ｌ．２１へ向かい、そこから開閉器端子Ｌへ向かい、負荷時タップ切換器８と選択器９とを通じて第２調整端子４へ向かって通電する。この負荷電流ＩＬは、そこからさらに調整巻線７を通じて第１調整端子３へ向かい、第３接続装置３０の第３調整固定接点３．３と第３可動ブリッジ接触子３１へ向かい、第２及び第３導線固定接点Ａ．３２及びＡ．３３へ向かい、最終的に導線Ａへ向かって通電する。
【００４３】
このため、当該第３定常運転位置では、第１主端子０が、第３主固定接点０．１３と第２主固定接点０．１２とに電気接続され、第１ブリッジ接触子１１が、第３主固定接点０．１３と第２主固定接点０．１２と第４粗固定接点１．１２とを電気的にブリッジし、第４粗固定接点１．１２が、第１粗端子１に電気接続される。さらに、第５粗固定接点２．２２と第６粗固定接点２．２３とが、第２粗端子２に電気接続され、第２ブリッジ接触子２１が、第５粗固定接点２．２２と第６粗固定接点２．２３と第２開閉器固定接点Ｌ．２１とを電気的にブリッジし、第２開閉器固定接点Ｌ．２１が、開閉器端子Ｌに電気接続される。最終的に、第２導線固定接点Ａ．３２と第３導線固定接点Ａ．３３とが、導線Ａに電気接続され、第３ブリッジ接触子３１が、第２導線固定接点Ａ．３２と第３導線固定接点Ａ．３３と第３調整固定接点３．３とを電気的にブリッジし、第３調整固定接点３．３が、第１調整端子３に電気接続される。
【００４４】
図４は、本発明の切換装置の第４定常運転位置を示す。このため、第１、第２及び第３ブリッジ接触子１１，２１及び３１が、図３に対して反時計回りにそれぞれ２つのさらなる固定接点位置だけ駆動軸４０によってさらに切り換えられてある。この場合、図示されていない全ての切換過程中に、それぞれの接続装置１０，２０及び３０の常に少なくとも２つの固定接点が、対応する可動ブリッジ接触子１１，２１及び３１によって電気接続された結果、主巻線５と粗調整巻線６と調整巻線７とのそれぞれの一部が電気接続されてある。
【００４５】
当該第４定常運転位置でも、選択器アーム９．１及び９．２又は負荷時タップ切換器８が、調整巻線７の調整範囲の全体を双方向に通過し得る。その結果、調整巻線７の全体又は一部だけが接続又は遮断され得る。この定常運転位置では、負荷電流ＩＬが、第２主端子Ｎから主巻線５を通じて第１主端子０へ向かい、第１接続装置１０の第３主固定接点０．１２へ向かい、そこから可動ブリッジ接触子１１を通じて第１粗固定接点１．１１へ向かい、そこから第１粗端子１へ向かい、粗調整巻線６を通じて第２粗端子２の方向の電流路に通電する。この負荷電流ＩＬは、第２接続装置２０の第５粗固定接点２．２２へさらに向かい、次いで第２ブリッジ接触子２１を通じて第４調整固定接点３．２２へ向かい、そこから調整巻線７の方向に第１調整端子３へ向かって通電する。引き続き、この負荷電流ＩＬは、選択器９と切換開閉器８．１とを通じて開閉器端子Ｌへ向かい、そこから第３接続装置３０の第３開閉器固定接点Ｌ．３と第３ブリッジ接触子３１とを通じて第２導線固定接点Ａ．３２へ向かい、最終的に導線Ａへ向かう電流路に通電する。
【００４６】
このため、当該第４定常運転位置では、第１主端子０が、第２主固定接点０．１２に電気接続され、第１ブリッジ接触子１１が、第２主固定接点０．１２と第１粗固定接点１．１１とを電気的にブリッジし、第１粗固定接点１．１１が、第１粗端子１に電気接続される。さらに、第５粗固定接点２．２２が、第２粗端子２に電気接続され、第２ブリッジ接触子２１が、第５粗固定接点２．２２と第４調整固定接点３．２２と第４調整固定接点３．２２とを電気的にブリッジし、第４調整固定接点３．２２が、第１調整端子３に電気接続される。最終的に、第３開閉器固定接点Ｌ．３が、開閉器端子Ｌに電気接続され、第３ブリッジ接触子３１が、第３開閉器固定接点Ｌ．３と第２導線固定接点Ａ．３２とを電気的にブリッジし、第２導線固定接点Ａ．３２が、導線Ａに電気接続される。さらに、この第４定常運転位置では、１つの機械式スイッチが、第１接続装置１０の第１開閉器固定接点Ｌ．１と第３接続装置３０の第３開閉器固定接点Ｌ．３との間に設けられ得、且つ第１粗端子１と第３接続装置３０の第３及び第７粗固定接点１．３１及び１．３２との間に設けられ得る。この機械式スイッチは、この定常運転位置で開かれ得る。
【符号の説明】
【００４７】
０                      第１主端子
０．１１…０．１３      主固定接点
１                      第１粗端子
１．１１，１．１２      粗固定接点
１．３１，１．３２      粗固定接点
２                      第２粗端子
２．２１…２．２３      粗固定接点
３                      第１調整端子
３．１                  調整固定接点
３．２１…３．２２      調整固定接点
３．３                  調整固定接点
４                      第２調整端子
５                      主巻線
６                      粗調整巻線
７                      調整巻線
７．１…７．７          巻線タップ
８                      負荷時タップ切換器
８．１                  切換開閉器
９                      選択器
９．１…９．２          選択器アーム
１０                    第１接続装置
１１                    第１ブリッジ接触子
１２                    空き接点
２０                    第２接続装置
２１                    第２接触ブリッジ接触子
２２                    空き接点
３０                    第３接続装置
３１                    第３ブリッジ接触子
３２                    空き接点
４０                    駆動軸
４１                    回転運動装置
Ｎ                      第２主端子
Ｌ                      開閉器端子
Ｌ．１                  開閉器固定接点
Ｌ．２１…Ｌ．２２      開閉器固定接点
Ｌ．３                  開閉器固定接点
Ａ                      導線
Ａ．３１…Ａ．３３      導線固定接点
ＩＬ                    負荷電流
【図１】
0006580071.tif 000002
【図２】
0006580071.tif 000003
【図３】
0006580071.tif 000004
【図４】
0006580071.tif 000005